(57)【要約】【課題】共通のクロック信号に基づくデューティー制御による一次側の電圧生成回路構成を維持し、かつ変圧トランスの巻数比を変更したり、二次側の高圧電圧を分圧することなく、個別に出力電圧を調整する。【解決手段】抵抗（Ｒｎ）３３６及び抵抗（Ｒｍ）３４０は、メインクロック信号に基づいて、ＦＥＴ３３８の駆動電圧を決定するためのパルス信号を生成するものであり、この分圧比によって、信号波形が変化する。当初（標準）設定時のＦＥＴ３３８のゲートに入力されるパルス信号では、ほぼ方形の波形となり、設計どおりのタイミングでＦＥＴ３３８がオン・オフ駆動する。一方、標準の方形波に対して、裾部分が拡がると、ＦＥＴ３３８の駆動しきい値レベルの信号のパルス幅が変化し、設計（標準）に対して若干ずれたタイミング（オン時間が増加したタイミング）でＦＥＴ３３８がオン・オフ駆動することになる。【選択図】図７
2012023933.tif 000002
【特許請求の範囲】
【請求項１】
固定的な周期のクロック信号が入力源とされ、予め設定された電圧値を目標として基準信号を生成する基準信号生成手段と、
前記基準信号生成手段で生成された基準信号に基づくデューティ制御によって、入力電圧値を生成する入力電圧生成手段と、
前記入力電圧生成手段で生成された入力電圧を一次側として、予め定めた二次側の出力電圧値に変圧する変圧手段と、
前記入力電圧生成手段に入力される前のクロック信号のデューティを変更することなく、前記基準信号の信号切り替わり応答時間を調整する調整手段と、
を有する電源装置。
【請求項２】
前記入力電圧生成手段が、
予め設定された電源電圧を、前記基準信号生成手段で生成された基準信号に基づく容量性スイッチング素子のデューティ制御することによって、前記一次側の入力電圧値を生成する請求項１記載の電源装置。
【請求項３】
前記調整手段が、
前記分圧比を調整することで、前記容量性スイッチング素子のスイッチング動作の立上がり時間又は立下り時間を変更し、クロック信号のデューティを変更することなく、前記基準信号の信号切り替わり応答時間を調整する請求項１又は請求項２記載の電源装置。
【請求項４】
帯電装置によって像保持体の表面を一様に帯電し、光走査装置からの光走査を受けて静電潜像を形成すると共に、現像装置によって当該静電潜像を現像剤によって現像し、現像された画像を転写装置により被転写部材へ転写する画像形成処理部と、
固定的な周期のクロック信号が入力源とされ、少なくとも前記帯電装置の帯電電圧、前記現像装置の現像電圧、前記転写装置の転写電圧のそれぞれを目標として基準信号を生成する基準信号生成手段と、
前記基準信号生成手段で生成された複数の基準信号に基づくデューティ制御によって、入力電圧値を生成する入力電圧生成手段と、
前記入力電圧生成手段で生成された入力電圧を一次側として、予め定めた二次側の出力電圧値に変圧する変圧手段と、
前記変圧手段で変圧された前記帯電電圧を前記帯電装置へ供給し、前記現像電圧を現像装置へ供給し、前記転写電圧を転写装置へ供給する供給手段と、
前記入力電圧生成手段に入力される前のクロック信号のデューティを変更することなく、前記基準信号の信号切り替わり応答時間を調整する調整手段と、
を有する画像形成装置。
【請求項５】
前記入力電圧生成手段が、
予め設定された電源電圧を、前記基準信号生成手段で生成された基準信号に基づく容量性スイッチング素子のデューティ制御することによって、前記一次側の入力電圧値を生成する請求項４記載の画像形成装置。
【請求項６】
前記調整手段が、
前記分圧比を調整することで、前記容量性スイッチング素子のスイッチング動作の立上がり時間又は立下り時間を変更し、クロック信号のデューティを変更することなく、前記基準信号の信号切り替わり応答時間を調整する請求項４又は請求項５記載の画像形成装置。
【発明の詳細な説明】
【技術分野】
【０００１】
本発明は、電源装置、画像形成装置に関する。
【背景技術】
【０００２】
例えば、静電潜像を用いた画像形成装置等では、高電圧電源装置が備えられ、帯電部の帯電電圧、現像部の現像電圧、転写部の転写電圧等に用いられる。以下、帯電部、現像部、転写部等の処理部を総称して「デバイス」という場合がある。各デバイスの電圧値は異なっている。
【０００３】
高電圧電源装置では、共通のクロック信号により複数の基準電圧を生成し、当該基準電圧のパルス幅変調（デューティー）制御によって目的とする複数の高電圧電源を生成する電源回路を備えている（特許文献１参照）。
【０００４】
ここで、一部のデバイスにおいて、生成された高電圧電源に対して±１０％程度の微調整の必要が生じた場合、変圧トランスの巻数比を変える、あるいは変圧トランスの二次側の出力電圧を分圧する、といった手段が考えられる。
【先行技術文献】
【特許文献】
【０００５】
【特許文献１】実開２００５−１６０２３９号公報
【発明の概要】
【発明が解決しようとする課題】
【０００６】
本発明は、共通のクロック信号に基づくデューティー制御による一次側の電圧生成回路構成を維持し、かつ変圧トランスの巻数比を変更したり、二次側の高圧電圧を分圧することなく、個別に出力電圧を調整することができる電源回路、画像形成装置を得ることが目的である。
【課題を解決するための手段】
【０００７】
請求項１に記載の発明は、固定的な周期のクロック信号が入力源とされ、予め設定された電圧値を目標として基準信号を生成する基準信号生成手段と、前記基準信号生成手段で生成された基準信号に基づくデューティ制御によって、入力電圧値を生成する入力電圧生成手段と、前記入力電圧生成手段で生成された入力電圧を一次側として、予め定めた二次側の出力電圧値に変圧する変圧手段と、前記入力電圧生成手段に入力される前のクロック信号のデューティを変更することなく、前記基準信号の信号切り替わり応答時間を調整する調整手段と、を有している。
【０００８】
請求項２に記載の発明は、前記請求項１に記載の発明において、前記入力電圧生成手段が、予め設定された電源電圧を、前記基準信号生成手段で生成された基準信号に基づく容量性スイッチング素子のデューティ制御することによって、前記一次側の入力電圧値を生成する。
【０００９】
請求項３に記載の発明は、前記請求項１又は請求項２に記載の発明において、前記調整手段が、前記分圧比を調整することで、前記容量性スイッチング素子のスイッチング動作の立上がり時間又は立下り時間を変更し、クロック信号のデューティを変更することなく、前記基準信号の信号切り替わり応答時間を調整する。
【００１０】
請求項４に記載の発明は、帯電装置によって像保持体の表面を一様に帯電し、光走査装置からの光走査を受けて静電潜像を形成すると共に、現像装置によって当該静電潜像を現像剤によって現像し、現像された画像を転写装置により被転写部材へ転写する画像形成処理部と、固定的な周期のクロック信号が入力源とされ、少なくとも前記帯電装置の帯電電圧、前記現像装置の現像電圧、前記転写装置の転写電圧のそれぞれを目標として基準信号を生成する基準信号生成手段と、前記基準信号生成手段で生成された複数の基準信号に基づくデューティ制御によって、入力電圧値を生成する入力電圧生成手段と、前記入力電圧生成手段で生成された入力電圧を一次側として、予め定めた二次側の出力電圧値に変圧する変圧手段と、前記変圧手段で変圧された前記帯電電圧を前記帯電装置へ供給し、前記現像電圧を現像装置へ供給し、前記転写電圧を転写装置へ供給する供給手段と、前記入力電圧生成手段に入力される前のクロック信号のデューティを変更することなく、前記基準信号の信号切り替わり応答時間を調整する調整手段と、を有している。
【００１１】
請求項５に記載の発明は、前記請求項４に記載の発明において、前記入力電圧生成手段が、予め設定された電源電圧を、前記基準信号生成手段で生成された基準信号に基づく容量性スイッチング素子のデューティ制御することによって、前記一次側の入力電圧値を生成する。
【００１２】
請求項６に記載の発明は、前記請求項４又は請求項５に記載の発明において、前記調整手段が、前記分圧比を調整することで、前記容量性スイッチング素子のスイッチング動作の立上がり時間又は立下り時間を変更し、クロック信号のデューティを変更することなく、前記基準信号の信号切り替わり応答時間を調整する。
【発明の効果】
【００１３】
請求項１、請求項４記載の発明によれば、共通のクロック信号に基づくデューティー制御による一次側の電圧生成回路構成を維持し、かつ変圧トランスの巻数比を変更したり、二次側の高圧電圧を分圧することなく、個別に出力電圧を調整することができる。
【００１４】
請求項２、請求項５記載の発明によれば、基準信号の信号切り替えタイミングを利用して一次側の入力電圧値を生成することができる。
【００１５】
請求項３、請求項６記載の発明によれば、基準信号の切り換わり応答時間に基づいて、二次側の出力電圧値を調整することができる。
【図面の簡単な説明】
【００１６】
【図１】本実施の形態に係る画像形成装置を示す斜視図である。
【図２】図１に示す画像形成装置を示す断面図である。
【図３】本実施の形態に係る制御ユニットのハード構成を示すブロック図である。
【図４】本実施の形態に係る高電圧電源部の概略構成図である。
【図５】高電圧電源部におけるクロック信号増幅部の回路図である。
【図６】高電圧電源部における変圧部の回路図である。
【図７】（Ａ）は変圧部のメインクロック信号が入力されるＦＥＴ及びその周辺回路の等価回路を示す回路図、（Ｂ）は標準時の抵抗Ｒｎ、Ｒｍの抵抗値設定における出力電圧生成状態を示す概念図、（Ｃ）は微調整時の抵抗Ｒｎ、Ｒｍの抵抗値設定における出力電圧生成状態を示す概念図である。
【発明を実施するための形態】
【００１７】
（画像形成装置全体構成）
図１及び図２には、本発明の形実施形態に係る画像形成装置１０が示されている。
【００１８】
図１及び図２に示されるように、画像形成装置１０は、画像形成装置本体１２を有し、画像形成装置本体１２には、外装カバー１４に対して開閉できるように前方側開閉部１８と、主開閉部２０とが装着されている。
【００１９】
前方側開閉部１８は、中心軸２４を中心に回転するようにして画像形成装置本体１２に対して開閉する。また、前方側開閉部１８には、操作部３４が取り付けられている。操作部３４は、例えば、画像形成する記録媒体の枚数を入力するテンキーや、画像形成を開始する際に操作される開始ボタン等を有する。
【００２０】
また、前方側開閉部１８には、前方側開閉部１８に対して開閉するように供給用開閉部３０が取り付けられている。供給用開閉部３０は、通常は図１及び図２に示すように前方側開閉部１８に対して閉じられている。後述する記録媒体供給装置５１０に収納された記録媒体とは異なる記録媒体を用いる際に、供給用開閉部３０は前方側開閉部１８に対して開かれる。
【００２１】
主開閉部２０は、中心軸２６を中心に回転するようにして画像形成装置本体１２に対して開閉する。主開閉部２０は、通常は画像形成装置本体１２に対して閉じられており、当該画像形成装置本体１２内に、画像形成ユニット２００Ｙ、２００Ｍ、２００Ｃ、２００Ｋを着脱する際に開かれる。
【００２２】
また、前方側開閉部１８は、主開閉部２０に装着され、支持ロール７０、中間転写ベルト６２等が前方側開閉部１８と干渉することを防止するため、主開閉部２０を開くことに先立ち開かれる。また、前方側開閉部１８を画像形成装置本体１２に対して閉じる際には、前方側開閉部１８を閉じることに先立って、主開閉部２０が画像形成装置本体１２に対して閉じられる。
【００２３】
また、主開閉部２０には、主開閉部２０に対して開閉するように副開閉部３２が取り付けられている。副開閉部３２は主開閉部２０とは独立して開閉することができ、主開閉部２０が画像形成装置本体１２に対して閉じられた状態で、主開閉部２０に対して開いた状態とすることができる。副開閉部３２は、クリーニング装置９６の全部又は一部を画像形成装置本体１２内に着脱する際に開かれる。また、副開閉部３２は、上側の面が、画像の形成された記録媒体が排出される排出部として用いられている。
【００２４】
画像形成装置本体１２内には、記録媒体に画像を形成する画像形成部４０が設けられている。画像形成部４０は、例えば４個の画像形成ユニット２００Ｙ、２００Ｍ、２００Ｃ、２００Ｋを有する。
【００２５】
画像形成ユニット２００Ｙ、２００Ｍ、２００Ｃ、２００Ｋは、それぞれが像形成構造体として用いられていて、感光体ドラム２１０Ｙ、２１０Ｍ、２１０Ｃ、２１０Ｋをそれぞれが有し、それぞれが画像形成装置本体１２内に着脱することができる。画像形成ユニット２００Ｙ、２００Ｍ、２００Ｃ、２００Ｋは、画像形成装置本体１２の後側（図２における右側）から順に、画像形成ユニット２００Ｙ、２００Ｍ、２００Ｃ、２００Ｋの順に並べられている。
【００２６】
感光体ドラム２１０Ｙ、２１０Ｍ、２１０Ｃ、２１０Ｋは、それぞれが像を保持する像保持体として用いられている。
【００２７】
また、画像形成部４０は、光走査装置４１を有する。光走査装置４１は、帯電装置４５Ｙ、４５Ｍ、４５Ｃ、４５Ｋによって表面が一様に帯電された感光体ドラム２１０Ｙ、２１０Ｍ、２１０Ｃ、２１０Ｋのそれぞれに対して光（露光光ＬＹ、ＬＭ、ＬＣ、ＬＫ／以下総称する場合、「露光光Ｌ」という場合がある。）を照射して、感光体ドラム２１０Ｙ、２１０Ｍ、２１０Ｃ、２１０Ｋのぞれぞれの表面に潜像を形成する。
【００２８】
また、画像形成部４０は、現像装置４６Ｙ、４６Ｍ、４６Ｃ、４６Ｋを有する。現像装置４６Ｙは、収納するイエローのトナーを用いて感光体ドラム２１０Ｙに形成された潜像を現像する。現像装置４６Ｍは、収納するマゼンタのトナーを用いて感光体ドラム２１０Ｍに形成された潜像を現像する。現像装置４６Ｃは、収納するシアンのトナーを用いて感光体ドラム２１０Ｃに形成された潜像を現像する。現像装置４６Ｋは、収納する黒のトナーを用いて感光体ドラム２１０Kに形成された潜像を現像する。
【００２９】
また、画像形成部４０は転写装置５８を有し、転写装置５８は、中間転写ベルトユニット６０及び２次転写装置８４を有し、中間転写ベルトユニット６０は中間転写ベルト６２を有する。
【００３０】
中間転写ベルト６２は、感光体ドラム２１０Ｙ、２１０Ｍ、２１０Ｃ、２１０Ｋから転写された像（トナー像）及び感光体ドラム２１０Ｙ、２１０Ｍ、２１０Ｃ、２１０Ｋから像が転写された記録媒体（用紙）の少なくとも一方を搬送する搬送部材として用いられている。また、中間転写ベルト６２は、無端状であって、支持ロール６４、６６、６８、７０、７２に、図２に矢印で示す方向に回転することができるように掛け渡されている。
【００３１】
また、中間転写ベルトユニット６０は、１次転写装置として用いられる１次転写ロール８０Ｙ、８０Ｍ、８０Ｃ、８０Ｋを有する。１次転写ロール８０Ｙ、８０Ｍ、８０Ｃ、８０Ｋは、感光体ドラム２１０Ｙ、２１０Ｍ、２１０Ｃ、２１０Ｋの表面にそれぞれが形成されたイエロートナー像、マゼンタのトナー像、シアンのトナー像、黒のトナー像を、中間転写ベルト６２に転写する。
【００３２】
２次転写装置８４は、２次転写ロール８６を有する。２次転写ロール８６は、中間転写ベルト６２に転写されたイエローのトナー像、マゼンタのトナー像、シアンのトナー像、及び黒のトナー像を、記録媒体に対してさらに転写する。
【００３３】
また、転写装置５８は、クリーニング装置９６を備え、クリーニング装置９６は掻き落とし部材９８を有する。掻き落とし部材９８は、２次転写ロール８６で記録媒体に対して各色のトナー像が転写された後に、中間転写ベルト６２の表面に残留する各色のトナーを掻き落とす。クリーニング装置９６の本体内には、掻き落とし部材９８によって掻き落とされたトナーが回収される。クリーニング装置９６は、副開閉部３２を開くことによって形成される開口部を介して画像形成装置本体１２内に着脱することができるようになっている。
【００３４】
転写装置５８を構成する部材のうち、中間転写ベルトユニット６０と、クリーニング装置９６とは主開閉部２０側に装着されている。転写装置５８のうち、２次転写ロール８６は画像形成装置本体１２側に装着されている。
【００３５】
また、画像形成装置本体１２内には、２次転写ロール８６によって記録媒体に転写されたトナー像を記録媒体に定着する定着装置５０が設けられている。
【００３６】
また、画像形成装置本体１２内には、回収容器２６０が設けられている。回収容器２６０には、現像装置４６Ｙ、４６Ｍ、４６Ｃ、４６Ｋから排出された余剰現像剤が回収される。回収容器２６０は、例えば画像形成ユニット２００Ｋと一体となっている。
【００３７】
また、画像形成装置本体１２内には、画像形成部４０に記録媒体を供給する記録媒体供給装置５１０が装着されている。記録媒体供給装置５１０は、画像形成装置本体１２の前側（図２における左側）に引き出すことができるようになっていて、記録媒体供給装置５１０を画像形成装置本体１２から引き出した状態で記録媒体が補充される。
【００３８】
記録媒体供給装置５１０は、例えば普通紙等の記録媒体を積層した状態で収納する記録媒体収納容器５１２を有する。また、記録媒体供給装置５１０は、記録媒体収納容器５１２に収納された最上位の記録媒体を抽出し、抽出した記録媒体を画像形成部４０へ向けて搬送する搬送ロール５１４を有する。また、記録媒体供給装置５１０は、記録媒体を捌き、画像形成部４０に複数枚の記録媒体が重なった状態で搬送されることを防止するために用いられるリタードロール５１６を有する。
【００３９】
また、画像形成装置本体１２内には、記録媒体の搬送に用いられる搬送路５３０が形成されている。搬送路５３０は、主搬送路５３２と、反転搬送路５３４と、副搬送路５３６とを有する。
【００４０】
主搬送路５３２は、記録媒体供給装置５１０から供給された記録媒体を画像形成部４０に搬送し、画像が形成された記録媒体を画像形成装置本体１２外に排出するために用いられる。主搬送路５３２に沿って、記録媒体が搬送される方向における上流側から順に、先述の搬送ロール５１４及びリタードロール５１６と、レジストロール５４２と、２次転写ロール８６と、定着装置５０と、排出ロール５４４とが配置されている。
【００４１】
レジストロール５４２は、記録媒体供給装置５１０側から搬送されてきた記録媒体の先端部を一時的に停止させ、中間転写ベルト６２に各色のトナー像が転写されるタイミングと合致するように記録媒体を２次転写ロール８６に向けて送り出す。
【００４２】
排出ロール５４４は、定着装置５０によって各色のトナーが定着された記録媒体を画像形成装置本体１２外に排出する。
【００４３】
反転搬送路５３４は、一方の面にトナー像が定着された記録媒体を反転させつつ再び画像形成部４０に向けて供給するために用いられる搬送路である。反転搬送路５３４に沿って、例えば２つの反転搬送ロール５４８、５４８が配置されている。反転搬送路５３４には、記録媒体の後端部を挟みこんだ状態で排出ロール５４４が逆回転することで記録媒体が後端部側から供給され、供給された記録媒体が反転搬送ロール５４８、５４８によって、レジストロール５４２の上流の位置へと搬送される。
【００４４】
副搬送路５３６は、記録媒体供給装置５１０に収納された記録媒体とは異なる記録媒体を画像形成部４０に供給するための搬送路である。副搬送路５３６には、供給用開閉部３０を開いた状態で画像形成装置本体１２の前側から記録媒体が供給される。副搬送路５３６に沿って、搬送ロール５５２とリタードロール５５４とが設けられている。搬送ロール５５２は、副搬送路５３６に供給され記録媒体を画像形成部４０に向けて搬送する。リタードロール５５４は、副搬送路５３６に供給された記録媒体を捌き、複数枚の記録媒体が重なった状態で記録媒体が画像形成部４０に搬送されることを防止するために用いられる。
（制御ユニットのハード構成）
図３に示される如く、画像形成装置本体１２内には、制御ユニット４４が配置されている。制御ユニット４４は、メインコントロール部１７０を含んでいる。メインコントロール部１７０は、ＣＰＵ１７２、ＲＡＭ１７４、ＲＯＭ１７６、Ｉ／Ｏ（入出力部）１７８、及びこれらを接続するデータバスやコントロールバス等のバス１８０を有している。
【００４５】
Ｉ／Ｏ１７８には、前記画像形成装置１０における搬送系や、画像形成のための走査露光系、現像系等の各処理系を制御し、管理するための印刷制御管理部１８８が接続されている。印刷制御管理部１８８は、搬送、帯電、走査露光、現像、転写、定着の各デバイスの制御を管理している。
【００４６】
印刷制御管理部１８８は、Ｉ／Ｏ１７８ではなく、直接バス１８０に接続された構成であってもよい。また、ここでは、印刷に関する制御を印刷制御管理部１８８に集約する構成としたが、当該制御をメインコントロール部１７０で実行する構成であってもよい。
【００４７】
また、Ｉ／Ｏ１７８には、ＵＩ（ユーザ・インターフェイス）１８２が接続されている。ＵＩ１８２は、ユーザーからの入力指示を受け付け、かつユーザーへ画像処理に関する情報を報知する役目を有している。さらに、Ｉ／Ｏ１７８には、ハードディスク１８４が接続されている。また、Ｉ／Ｏ１７８は、Ｉ／Ｆ１８６を介して通信回線網１９０に接続されている。
【００４８】
前記搬送、帯電、走査露光、現像、転写、定着の各デバイスは、それぞれ電源ユニット１４１から電源を受けている。電源ユニット１４１は、商用電源を入力源とし、大きく分類して、制御用電源部１４１Ａ（３．３Ｖ）、低電圧電源部１４１Ｂ（ＬＶＰＳ／２４Ｖ）、高電圧電源部１４１Ｃ（ＨＶＰＳ／例えば、−４５０Ｖ〜−３３００Ｖ）を備えている。なお、高電圧電源部の電圧の極性は、適用される現像剤（トナー）の帯電極性によって変わるものであり、ここでは、極性をマイナス（−）としている。
【００４９】
制御用電源部１４１Ａは、制御用電源ラインＬＡを介して、メインコントロール部１７０を含む各制御系へ制御用電源を供給する。また、低電圧電源部１４１Ｂは低電圧電源ラインＬＢを介して、高電圧電源部１４１Ｃは高電圧電源ラインＬＣを介して、それぞれ、前記搬送、帯電、走査露光、現像、転写、定着の各デバイスへそれぞれの電源を供給する。
【００５０】
図４は、高電圧電源部１４１Ｃの詳細構成図であり、大きく分けて、クロック信号増幅部３００と、複数の変圧部（ここでは、帯電、現像、一次転写、二次転写に必要な電圧を生成する４個の変圧部を示す。）３０２とを備えている。変圧部３０２の構成は、全て基本的には、同一である（詳細後述）。
【００５１】
クロック信号増幅部３００には、低電圧電源部１４１Ｂから、２４Ｖの電源電圧が入力されると共に、メインコントロール部１７０（図３参照）からパルス幅変調されたクロック信号（３．３Ｖ）が入力されるようになっている。クロック信号増幅部３００では、前記クロック信号と同一周期のパルス幅変調された２４Ｖのクロック信号を生成するようになっている。
【００５２】
このメインクロック信号は、それぞれの変圧部３０２へ入力されるようになっている。
【００５３】
この変圧部３０２には、上記メインクロック信号の他、低電圧電源部１４１Ｂから、後述する変圧トランス３４２（図６参照）の一次側への入力電圧の基となる電源電圧（２４Ｖ）と、メインコントロール部１７０から、後述する変圧トランス３４２（図６参照）の二次側の電圧値を指示するアナログ信号が入力されるようになっている。
【００５４】
変圧部３０２では、前記アナログ信号によって指示された電圧値となるように、前記メインクロック信号に基づくデューティ制御により、前記基となる電源電圧から、後述する変圧トランス３４２（図６参照）の一次側の入力電圧を生成すると共に、二次側から前記アナログ信号に応じた出力電圧値を出力するようになっている。
【００５５】
（クロック信号増幅部３００の回路構成）
以下に、クロック信号増幅部３００の詳細回路図を示す。
【００５６】
図５に示される如く、クロック信号増幅部３００には、第１の入力端子３００Ａ、第２の入力端子３００Ｂ、第１の出力端子３００Ｃ、２個のアース端子３００Ｄ、３００Ｅが設けられている。アース端子３００Ｄ、３００Ｅはそれぞれ接地されている。
【００５７】
第１の入力端子３００Ａには、電源電圧（ここでは、ＬＶＰＳ電圧（２４Ｖ）が入力されている。なお、電源電圧としては、２４Ｖに限定されるものではなく、商用電源（１００Ｖ）等を用いてもよい。
【００５８】
第２の入力端子３００Ｂには、メインコトロール部１７０（図３参照）から、３．３Ｖクロック信号が入力されている。このクロック信号は、ＰＷＭ（パルス幅変調）制御により、オン・オフを繰り返している。
【００５９】
また、第１の入力端子３００Ａは、抵抗（Ｒ１）３０４の一端部、第１のトランジスタ（ｐｎｐ）３０６のエミッタに接続されている。抵抗（Ｒ１）３０４の他端は、第１のトランジスタ（ｐｎｐ）３０６のベースに接続されている。第１のトランジスタ（ｐｎｐ）３０６のコレクタは第１の出力端子３００Ｃに接続されている。
【００６０】
また、前記抵抗（Ｒ）３０４と第１のトランジスタ（ｐｎｐ）３０６のベースとの間には、抵抗（Ｒ２）３０８の一端部が接続されている。この抵抗（Ｒ２）３０８の他端は、第２のトランジスタ（ｎｐｎ）３１０のコレクタに接続されている。
【００６１】
前記第２の入力端子３００Ｂは、コンデンサ（Ｃ１）３１２の一端に接続され、コンデンサ（Ｃ１）３１２の他端は抵抗（Ｒ３）３１４の一端に接続されている。抵抗（Ｒ３）３１４の他端は、第２のトランジスタ（ｎｐｎ）３１０のベースに接続されている。また、この抵抗（Ｒ３）３１４と第２のトランジスタ（ｎｐｎ）３１０のベースとの間には、抵抗（Ｒ４）３１６の一端が接続されている。この抵抗（Ｒ４）３１６の他端、並びに第２のトランジスタ（ｎｐｎ）３１０のエミッタは、それぞれアース端子３００Ｄ、３００Ｅに接続されている。
【００６２】
上記回路構成により、第１のトランジスタ（ｐｎｐ）３０６のエミッタに入力された電源電圧が、クロック信号に同期して、オン・オフ制御されて、第１のトランジスタ（ｐｎｐ）３０６のコレクタから出力される。従って、３．３ｖのクロック信号が、２４ｖのクロック信号に増幅されて出力されることになる。
【００６３】
（変圧部３０２の回路構成）
以下に、変圧部３０２の詳細回路図を示す。なお、図４では、４個の変圧部３０２を示しているが、この数は限定されるものではなく、ＨＶＰＳの電源が必要な数だけ変圧部３０２を設ければよい。ここで、各変圧部３０２には、共通のクロック信号増幅部３００から出力されるメインクロック信号を受けて動作するようになっている。
【００６４】
図６に示される如く、変圧部３０２には、第１の入力端子３０２Ａ、第２の入力端子３０２Ｂ、第３の入力端子３０２Ｃ、第４の入力端子３０２Ｄ、第１の出力端子３０２Ｅ、５個のアース端子３０２Ｆ、３０２Ｇ、３０２Ｈ、３０２Ｉ、３０２Ｊが設けられている。
【００６５】
第１の入力端子３０２Ａには、電源電圧（ここでは、ＬＶＰＳ電圧（２４Ｖ）が入力されている。なお、電源電圧としては、２４Ｖに限定されるものではなく、商用電源（１００Ｖ）等を用いてもよい。
【００６６】
第２の入力端子３０２Ｂには、メインコントロール部１７０（図３参照）から、出力電圧の電圧値を指示する信号（アナログ信号）が入力されるようになっている。例えば、必要な出力電圧を０〜３．３Ｖに換算して、メインコトロール部１７０から出力している。なお、０〜３．３Ｖを逆換算（３．３Ｖが最低出力電圧で、０Ｖが最高出力電圧）としてもよい。
【００６７】
第３の入力端子３０２Ｃには、前記クロック増幅部３００の出力信号であるメインクロック信号（２４Ｖクロック信号）が入力されるようになっている。
【００６８】
第１の入力端子３０２Ａは、第３のトランジスタ（ｎｐｎ）３２０のコレクタに接続されている。
【００６９】
第２の入力端子３０２Ｂは、抵抗（Ｒ５）３２２の一端部に接続されている。この抵抗（Ｒ５）３２２の他端部は、増幅器３２４のマイナス側入力端子に接続されている。
【００７０】
増幅器３２４の出力端子は、抵抗（Ｒ６）３２６の一端に接続されている。また、増幅器３２４のマイナス側入力端子は、コンデンサ（Ｃ２）３２８、抵抗（Ｒ７）３３０を介して増幅器３２４の出力端子と抵抗（Ｒ６）３２６との間に接続されている。
【００７１】
抵抗（Ｒ６）３２６の他端は、前記第３のトランジスタ（ｎｐｎ）３２０のベースに接続されている。第３のトランジスタ（ｎｐｎ）３２０のエミッタは、電解コンデンサ（Ｃ３）３３２を介してアース端子３０２Ｇに接続されている。
【００７２】
また、第３のトランジスタ（ｎｐｎ）３２０のエミッタと電解コンデンサ（Ｃ３）３３２との間には、ダイオード（Ｄ１）３３４のアノード側が接続され、このダイオード（Ｄ１）３３４のカソードは前記抵抗（Ｒ６）３２６と第３のトランジスタ（ｎｐｎ）３２０のベースとの間に接続されている。
【００７３】
第３の入力端子３０２Ｃは、抵抗（Ｒｎ）３３６の一端部に接続されている。抵抗（Ｒｎ）３３６の他端は、ＦＥＴ３３８（ここでは、ＭＯＳ型ＦＥＴ／Ｎチャネル、シングルゲード）のゲートに接続されている。
【００７４】
ＦＥＴ３３８のソースはアース端子３０２Ｆに接続されている。また、前記抵抗（Ｒｎ）３３６とＦＥＴ３３８のゲートとの間には、抵抗（Ｒｍ）３４０の一端が接続されている。
【００７５】
また、ＦＥＴ３３８のドレインは、変圧トランス３４２の一次側コイル３４２Ａの一端に接続されている。変圧トランス３４２の一次側コイル３４２Ａの他端は、ダイオード（Ｄ２）３４４のカソード側に接続され、このダイオード（Ｄ２）３４４のアノード側は、アース端子３０２Ｈに接続されている。また、変圧トランス３４２の一次側コイル３４２Ａの中間点は、コンデンサ（Ｃ４）３４６及び抵抗（Ｒ８）３４８を介してＦＥＴ３３８のドレインと接続されている。
【００７６】
また、コンデンサ（Ｃ４）３４６と変圧トランス３４２の一次側コイル３４２Ａの中間点との間は、前記第３のトランジスタ（ｎｐｎ）３２０のエミッタと電解コンデンサ（Ｃ３）３３２との間と接続されている。
【００７７】
変圧トランス３４２の二次側コイル３４２Ｂの一端は、ダイオード（Ｄ３）３５０のカソード側に接続されている。このダイオード（Ｄ３）３５０のアノード側は、抵抗（Ｒ９）３５２を介して第１の出力端子３０２Ｅに接続されている。
【００７８】
また、ダイオード（Ｄ３）３５０と抵抗（Ｒ９）３５２との間は、コンデンサ（Ｃ５）３５４を介して、アース端子３０２Ｉに接続されている。このコンデンサ（Ｃ５）３５４とアース端子３０２Ｉとの間は、変圧トランス３４２の二次側コイル３４２Ｂの他端に接続されている。
【００７９】
前記抵抗（Ｒ９）３５２と第１の出力端子３０２Ｅとの間には、抵抗（Ｒ１０）３５６の一端が接続され、他端は抵抗（Ｒ１１）３５８の一端に接続されている。抵抗（Ｒ１１）３５８の他端はアース端子３０２Ｊに接続されている。
【００８０】
また、抵抗（Ｒ１０）３５６と抵抗（Ｒ１１）３５８との間には、抵抗（Ｒ１２）３６０の一端が接続され、他端は第４の入力端子３０２Ｄに接続されている。第４の入力端子３０２Ｄからは、基準信号（出力電圧を分圧したフィードバック用の信号）が入力されるようになっている。
【００８１】
前記抵抗（Ｒ１０）３５６と抵抗（Ｒ１１）３５８との間は、抵抗（Ｒ１３）３６２を介して、前記増幅器３２４のプラス側入力端子に接続されている。このため、増幅器３２４のプラス側入力端子には、前記基準信号が入力されるようになっている。
【００８２】
上記構成により、第２の入力端子３０２Ｂに入力されるアナログ信号に基づいて、メインクロック信号（２４Ｖ）がＦＥＴ３３８によって駆動電圧（一次側）を調整して、二次側に所望の出力電圧を生成する。
【００８３】
例えば、図４に示される如く、各変圧部３０２では、１次側転写装置では最大＋１５００Ｖ、２次側転写装置では最大−３３００Ｖ、帯電装置では最大−１３００Ｖ、現像装置では最大−４５０Ｖの二次側の出力電圧が生成され、出力される。
【００８４】
ところで、各変圧部３０２において、設定される出力電圧は、固定的に使用されたものであるが、例えば、設置環境によっては、微調整した方が、より画質向上につながる場合がある。しかし、その一方で、ほとんど同一の回路構成で生鮮される変圧部３０２に対して、環境等により個別に調整するには、作業効率が現状よりも低下し、生産性の面から好ましくない。
【００８５】
そこで、本実施の形態では、ＦＥＴ３３８のゲートに入力されるメインクロック信号の波形の変形を利用して、ＦＥＴ３３８の駆動特性を変化さえることで、出力電圧の微調整を実現した。
【００８６】
より詳しくは、図７（Ａ）に示される如く、ＦＥＴ３３８は容量成分Ｑを持っており、抵抗（Ｒｎ）３３６、抵抗（Ｒｍ）３４０の設定により、メインクロック信号は、立ち上がり時間、立ち下がり時間を遅くして、所謂「なまる」ことを利用する。
【００８７】
前記抵抗（Ｒｎ）３３６及び抵抗（Ｒｍ）３４０は、入力されるメインクロック信号（２４Ｖ）に基づいて、ＦＥＴ３３８の駆動電圧（しきい値に基づくオン・オフ）を決定するためのパルス信号を生成するものであり、この分圧比によって、信号波形が変化する。（図7（Ｂ）、（Ｃ）参照）。
【００８８】
図７（Ｂ）は、当初（標準）設定時のＦＥＴ３３８のゲートに入力されるパルス信号であり、ほぼ方形の波形となっている。このため、設計どおりのタイミングで、ＦＥＴ３３８がオン・オフ駆動する。
【００８９】
一方、図７（Ｃ）では、標準の方形波に対して、裾部分が拡がっている（立ち上がり時間、立ち下がり時間が遅く、なまっている）ことがわかる。このため、ＦＥＴ３３８の駆動しきい値レベルの信号のパルス幅が変化し、設計（標準）に対して若干ずれたタイミング（ここでは、オン時間が増加したタミング）でＦＥＴ３３８がオン・オフ駆動することになる。
【００９０】
以下に本実施の形態の作用を説明する。
【００９１】
（画像形成手順）
画像データは、さらにイエロー（Ｙ）、マゼンタ（Ｍ）、シアン（Ｃ）、ブラック（Ｋ）の４色の色材階調データに変換され、光走査装置４１に順次出力される。光走査装置４１では、各色の色材階調データに応じて各露光光Ｌを出射して、各感光体ドラム２１０Ｙ、２１０Ｍ、２１０Ｃ、２１０Ｋに走査露光を行い、潜像（静電潜像）が形成される。
【００９２】
感光体ドラム２１０Ｙ、２１０Ｍ、２１０Ｃ、２１０Ｋ上に形成された静電潜像は、現像部によって、それぞれイエロー（Ｙ）、マゼンタ（Ｍ）、シアン（Ｃ）、ブラック（Ｋ）の各色のトナー像として顕在化される（現像）。そして、各画像形成ユニット２００Ｙ、２００Ｍ、２００Ｃ、２００Ｋの感光体ドラム２１０Ｙ、２１０Ｍ、２１０Ｃ、２１０Ｋ上に順次形成された各色のトナー像は、４つの一次転写ロール８０Ｙ、８０Ｍ、８０Ｃ、８０Ｋによって中間転写ベルト６２上に順次多重転写される。
【００９３】
中間転写ベルト６２上に多重転写された各色のトナー像は、二次転写ロール８６によって、搬送されてきた記録用紙Ｐ上に二次転写される。そして、記録用紙Ｐ上の各色のトナー像が定着装置５０で定着され、定着後の記録用紙Ｐは排出される。
【００９４】
トナー像の転写工程が終了した後の感光体ドラム２１０Ｙ、２１０Ｍ、２１０Ｃ、２１０Ｋの表面は、残留トナーや紙粉等が除去される。また、中間転写ベルト１６上の残留トナーや紙粉等が、クリーニング装置９６で除去される。
【００９５】
（出力電圧微調整）
上記画像形成動作において、例えば、現像電圧を−４５０Ｖとしているが、環境によっては、若干変更（−４５０Ｖから−５００Ｖへ、約１０％増）した方が現像性が、標準時よりも向上する場合がある。
【００９６】
このため、基本となるメインクロック信号は、各変圧部３０２で同一であるため、変圧部３０２の変圧トランス３４２のコイル巻数比を変更したり、二次側の出力電圧を分圧等により変更する、といった手段が考え得るが、変圧部３０２の主要構成部品の変更が強いられることになる。
【００９７】
そこで、本実施の形態では、ＦＥＴ３３８の前段に設けた抵抗（Ｒｎ）３３６、抵抗（Ｒｍ）３４０の分圧比によりオン・オフ駆動時間を微調整するようにした。
【００９８】
図７は、現像装置における現像電圧を標準の−４５０Ｖから−５００Ｖに変更する手順を示している。
【００９９】
ＦＥＴ３３８は容量成分を持っているため、抵抗（Ｒｎ）３３６、抵抗（Ｒｍ）３４０との間で、図７（Ａ）に示されるような等価回路が形成される。
【０１００】
図７（Ｂ）では、抵抗（Ｒｎ）３３６が１０ＫΩ、抵抗（Ｒｍ）３４０が３．３ＫΩの場合を示しており、ＦＥＴ３３８のゲートに入力されるクロック信号は、ほぼ方形の波形となり、目標とするオン・オフタイミングでの制御が実現され、結果として−４５０Ｖの出力電圧が生成される。
【０１０１】
一方、変圧部３０２の主要構成部品を変更せず、また、アナログ信号を変更しないで、抵抗（Ｒｎ）３３６を２０ＫΩ、抵抗（Ｒｍ）３４０を６．８ＫΩとすると、ＦＥＴ３３８のゲートに入力されるクロック信号は、その裾部分が拡がり、しきい値レベルでのオンのパルス幅が目標よりも広くなり、その分、オン時間が増加する。この広くなった割合は約１０％であり、結果として、−５００Ｖの出力電圧が生成される。
【０１０２】
なお、本実施の形態では、抵抗（Ｒｎ）３３６及び抵抗（Ｒｍ）３４０を取り替えることで、出力電圧の微調整を行う構成としたが、当然、固定値の抵抗（Ｒｎ）３３６及び抵抗（Ｒｍ）３４０に対して、直列または並列に別の抵抗を付加するようにしてもよい。また、抵抗（Ｒｎ）３３６及び抵抗（Ｒｍ）３４０を可変抵抗器としてもよい。
【０１０３】
また、本実施の形態では、現像装置の現像電圧を例とり説明したが、１次転写装置、２次転写装置、帯電装置に対応する変圧部３０２においても同様に、抵抗（Ｒｎ）３３６及び抵抗（Ｒｍ）３４０を変更することで、それぞれの出力電圧の微調整は可能である。
【符号の説明】
【０１０４】
１０    画像形成装置
１２    画像形成装置本体
４０    画像形成部
４１    光走査装置
４４    制御ユニット
４６Ｙ、４６Ｍ、４６Ｃ、４６Ｋ    現像装置
５０    定着装置
５８    転写装置
６０    中間転写ベルトユニット
６２    中間転写ベルト
８０Ｙ、８０Ｍ、８０Ｃ、８０Ｋ    １次転写ロール
８４    ２次転写装置
８６    ２次転写ロール
１４１Ｂ    低電圧電源部
１４１Ｃ    高電圧電源部
１７０    メインコントロール部
２００Ｙ、２００Ｍ、２００Ｃ、２００Ｋ    画像形成ユニット
２１０Ｙ、２１０Ｍ、２１０Ｃ、２１０Ｋ    感光体ドラム
３００    クロック信号増幅部
３００Ａ    第１の入力端子
３００Ｂ    第２の入力端子
３００Ｃ    第１の出力端子
３００Ｄ、３００Ｅ    アース端子
３０２    変圧部
３０２Ａ    第１の入力端子
３０２Ｂ    第２の入力端子
３０２Ｃ    第３の入力端子
３０２Ｄ    第４の入力端子
３０２Ｅ    第１の出力端子
３０２Ｆ、３０２Ｇ、３０２Ｈ、３０２Ｉ、３０２Ｊ    アース端子
３０４    抵抗（Ｒ１）
３０６    第１のトランジスタ（ｐｎｐ）
３０８    抵抗（Ｒ２）
３１０    第２のトランジスタ（ｎｐｎ）
３１２    コンデンサ（Ｃ１）
３１４    抵抗（Ｒ３）
３１６    抵抗（Ｒ４）
３２０    第３のトランジスタ（ｎｐｎ）
３２２    抵抗（Ｒ５）
３２４    増幅器
３２６    抵抗（Ｒ６）
３２８    コンデンサ（Ｃ２）
３３０    抵抗（Ｒ７）
３３２    電解コンデンサ（Ｃ３）
３３４    ダイオード（Ｄ１）
３３６    抵抗（Ｒｎ）
３３８    ＦＥＴ
３４０    抵抗（Ｒｍ）
３４２    変圧トランス
３４２Ａ    一次側コイル
３４２Ｂ    二次側コイル
３４４    ダイオード（Ｄ２）
３４６    コンデンサ（Ｃ４）
３４８    抵抗（Ｒ８）
３５０    ダイオード（Ｄ３）
３５２    抵抗（Ｒ９）
３５４    コンデンサ（Ｃ５）
３５６    抵抗（Ｒ１０）
３５８    抵抗（Ｒ１１）
３６０    抵抗（Ｒ１２）
３６２    抵抗（Ｒ１３）
【図１】
2012023933.tif 000003
【図２】
2012023933.tif 000004
【図３】
2012023933.tif 000005
【図４】
2012023933.tif 000006
【図５】
2012023933.tif 000007
【図６】
2012023933.tif 000008
【図７】
2012023933.tif 000009